(57)【要約】【課題】表示トレイを抜き出すことができるようにしながらも、いったん抜き出すと再び挿入できないようにする。【解決手段】表示トレイ１２の基端側にトレイ用開口３ａ側から表示トレイ１２が抜け出すのを阻止する幅方向両側に突出したフック１５を形成し、トレイ用開口３ａの周縁にフック１５の幅方向の寸法Ｂよりも幅Ｃが狭いストッパ部１４を形成する。両側のフック１５の中間に表示トレイ１２の引き出しを可能とすると共に、表示トレイ１２の差し込みを防止するように表示トレイ１２を変形させる変形用切欠１６を形成する。【選択図】図１
2015146472.tif 000002
【特許請求の範囲】
【請求項１】
収納可能な表示トレイを有する携帯端末において、
上記表示トレイを出し入れするためのトレイ用開口を有する筐体と、
上記トレイ用開口の内側に設けられ、上記表示トレイをスライド可能に収容するホルダー部とを備え、
上記表示トレイの基端側には、上記トレイ用開口側から該表示トレイが抜け出すのを阻止する幅方向両側に突出したフックが形成され、
上記トレイ用開口の周縁又は上記ホルダー部には、上記フックの幅方向の寸法よりも幅が狭いストッパ部が形成され、
両側の上記フックの中間には、上記表示トレイの引き出しを可能とすると共に、該表示トレイの差し込みを防止するように該表示トレイを変形させる変形用切欠が形成されている
ことを特徴とする携帯端末。
【請求項２】
請求項１に記載の携帯端末において、
上記表示トレイは、矩形板状で、
上記フックは、上記表示トレイの基端側に幅方向両側に突出する突起であり、
上記変形用切欠は、上記表示トレイ基端を切り欠くことで形成されている
ことを特徴とする携帯端末。
【請求項３】
請求項２に記載の携帯端末において、
上記フックにおける上記ストッパ部の内側との当接面及び該ストッパ部の内側の該フックとの当接面の少なくとも一方は、基端側に向かって幅方向に拡がる傾斜面となっている
ことを特徴とする携帯端末。
【請求項４】
請求項１から３までのいずれか１つに記載の携帯端末において、
上記フックの基端及び上記ストッパ部の該フックの基端に当接する面は、いずれも幅方向に水平に延びている
ことを特徴とする携帯端末。
【請求項５】
請求項１から３までのいずれか１つに記載の携帯端末において、
上記フックの基端は、幅方向外側に向かって基端側へ向かうように傾斜している
ことを特徴とする携帯端末。
【発明の詳細な説明】
【技術分野】
【０００１】
本発明は、識別番号が表示された表示トレイを有する携帯端末に関するものである。
【背景技術】
【０００２】
ＩＭＥＩ（International Mobile Equipment Identifier）は、国際移動体装置識別番号（端末識別番号）を意味し、携帯電話機やデータ通信カードが１台ずつ持っている識別番号であり、原則として、各携帯端末はそれぞれ異なる番号を有する。この識別番号は、通常１５桁の数字からなっており、装置を製造したメーカーと機種を示す番号、生産国、固体に割り振られたシリアル番号、ＩＭＥＩが正しい内容であることを検証するためのチェックデジットが含まれている。
【０００３】
近年のスマートフォンなどでは、充電池の出し入れができなくなって電池蓋が無くなったものが増えてきている。従来は、この電池蓋に隠れる場所に標記されていたＩＭＥＩ、製造番号等の重要情報を外観を損ねることなく標記する必要が生じている。そこで、筐体内のいずれかに設けたトレイに上記重要情報を記載されることが知られている。
【０００４】
例えば図８に示すように、ＩＭＥＩトレイ１１２は、端末固有のＩＭＥＩ番号を標記した、小さく薄い板状の部品で、この部品をＳＤカードやＳＩＭカード類のカバー１０９を開けたトレイ用開口１０３ａの奥のホルダー部１１３に挿し込んで配置されている。図８（ｂ）に示すようにカバー１０９を開け、図８（ｃ）に示すようにＩＭＥＩトレイ１１２を引き出し、ＩＭＥＩの番号を確認できるようにしている。
【０００５】
ところで、特許文献１のように、コイン型電池を機器筐体外部から着脱可能に収納するものが知られている。このトレイは、収納時には係合によるロック機構により本体に固定され、着脱時にはクリック感を伴うようになっている。
【先行技術文献】
【特許文献】
【０００６】
【特許文献１】特開２００７−１２４４７号公報
【発明の概要】
【発明が解決しようとする課題】
【０００７】
ＩＭＥＩ、製造番号等の重要情報は、携帯端末固有のものであり、その管理の信頼性を確保するためには、容易に取り出したり、交換できたりしないようにする必要がある。
【０００８】
しかし、上記特許文献１のようにクリック感を伴うロック爪であると、爪の撓みによって引き抜きに対する強度を低くしているので、再び差し込むことも容易となるという問題がある。
【０００９】
すなわち、図９（ａ）に示すように、過剰な力で引き出された際には、ＩＭＥＩトレイ１１２のフック１１５が変形して抜けてしまう。ＩＭＥＩトレイ１１２は、通常樹脂成形品で形成されているので、図９（ｂ）に示すように、変形しても元に戻ることが多い。
【００１０】
そして、図１０に示すように、いったん抜かれたＩＭＥＩトレイ１１２を差し込もうとすると、図１０（ａ）に示すように先端両側のフック１１５がホルダー部１１３のストッパ部１１４に当たるが、図１０（ｂ）に示すように片側のフック１１５を内壁に当てて押さえると、他方のフック１１５がストッパ部１１４から奥へ入ってしまう。
【００１１】
すると力を加えれば、図１０（ｃ）に示すようにフック１１５が変形しながら挿入され、図１０（ｄ）に示すように、再びＩＭＥＩトレイ１１２が収納される。
【００１２】
再びＩＭＥＩトレイ１１２を引き出すときには、図１０（ｅ）に示すように、引き出す前と同様にフック１１５がストッパ部１１４に引っ掛かるので、ＩＭＥＩトレイ１１２を引き出す前と変わりがなく、ＩＭＥＩトレイ１１２を第三者がわからないように交換することができてしまうという問題がある。
【００１３】
一方で、ＩＭＥＩトレイ１１２を引き出しにくくすると、図１１（ａ）に示すようにフック１１５が破損して内部に入り込んでしまったり、図１１（ｂ）に示すように、ストッパ部１１４が破損して内部に入り込んでしまったりする。破損部分が内部に入り込むと何らかの悪影響が及ぶ。また、無理矢理引き抜こうとしたときに内部の精密部品が損傷するおそれもある。
【００１４】
本発明は、かかる点に鑑みてなされたものであり、その目的とするところは、表示トレイを抜き出すことができるようにしながらも、いったん抜き出すと再び挿入できないようにすることにある。
【課題を解決するための手段】
【００１５】
上記の目的を達成するために、この発明では、表示トレイを抜き出すときには適度に変形しながらも再び挿入できないようにした。
【００１６】
具体的には、本発明では、収納可能な表示トレイを有する携帯端末を前提とし、
上記携帯端末は、
上記表示トレイを出し入れするためのトレイ用開口を有する筐体と、
上記トレイ用開口の内側に設けられ、上記表示トレイをスライド可能に収容するホルダー部とを備え、
上記表示トレイの基端側には、上記トレイ用開口側から該表示トレイが抜け出すのを阻止する幅方向両側に突出したフックが形成され、
上記トレイ用開口の周縁又は上記ホルダー部には、上記フックの幅方向の寸法よりも幅が狭いストッパ部が形成され、
両側の上記フックの中間には、上記表示トレイの引き出しを可能とすると共に、該表示トレイの差し込みを防止するように該表示トレイを変形させる変形用切欠が形成されている。
【００１７】
上記の構成によると、表示トレイを無理矢理抜き出そうとすると、フックがストッパ部に当接し、変形用切欠の周辺が変形し、フックがストッパ部を通過するので、表示トレイやストッパ部が損傷しない。逆に表示トレイを再び挿入しようとしてもフックがストッパ部に当接すると、変形用切欠の周辺が変形してフックは、ストッパ部を通過できない。
【発明の効果】
【００１８】
以上説明したように、本発明によれば、両側のフックの中間に表示トレイの引き出しを可能とすると共に、差し込みを防止するように表示トレイを変形させる変形用切欠を形成したことにより、携帯端末と異なる表示がされた表示トレイを収容できないようにし、誤った表示の表示トレイに交換するのを確実に防止することができる。
【図面の簡単な説明】
【００１９】
【図１】（ａ）が携帯電話機のトレイ用開口及びその周辺を拡大して示す側面図であり、（ｂ）が表示トレイがストッパ部に引っ掛かった状態を示す正面図である。
【図２】表示トレイを引き出した状態の本発明の実施形態に係る携帯電話機及びその一部を拡大して示す斜視図である。
【図３】携帯電話機の分解斜視図である。
【図４】表示トレイ及びストッパ部を示す正面図であり、（ａ）がフックの傾斜面がストッパ部に当接する様子を示し、（ｂ）が変形用切欠が変形しながらフックがストッパ部を通過する様子を示し、（ｃ）が表示トレイを再び挿入しようとする様子を示す。
【図５】本発明の実施形態の変形例１に係る表示トレイ及びストッパ部を示す正面図であり、（ａ）がフックの傾斜面がストッパ部に当接する様子を示し、（ｂ）が変形用切欠が変形しながらフックがストッパ部を通過する様子を示し、（ｃ）が表示トレイを再び挿入しようとする様子を示す。
【図６】本発明の実施形態の変形例２に係るフックの傾斜面がストッパ部に当接する様子を示す正面図である。
【図７】本発明の実施形態の変形例３に係るフックの基端及びその周辺を示す正面図である。
【図８】従来技術に係る表示トレイ及びストッパ部を示す正面図であり、（ａ）が表示トレイを収納した様子を示し、（ｂ）がカバーを開いた様子を示し、（ｃ）がフックがストッパ部に当たった様子を示す。
【図９】従来技術に係る表示トレイ及びストッパ部を示す正面図であり、（ａ）が表示トレイを無理矢理引き出す様子を示し、（ｂ）が引き出し後にフックが再び元の状態に戻る様子を示す。
【図１０】従来技術に係る表示トレイ及びストッパ部を示す正面図であり、（ａ）が表示トレイを再び収納しようとする様子を示し、（ｂ）がフックが変形しながら押し込まれる様子を示し、（ｃ）がフックが変形してストッパ部を通過する様子を示し、（ｄ）がフックが元の形に戻って再び収容された様子を示し、（ｅ）がフックがストッパ部に当接して抜け止めされる様子を示す。
【図１１】従来技術に係る表示トレイ及びストッパ部を示す正面図であり、（ａ）がフックが破損する様子を示し、（ｂ）がストッパ部が破損する様子を示す。
【発明を実施するための形態】
【００２０】
以下、本発明の実施形態を図面に基づいて説明する。
【００２１】
図２及び図３は、本発明の実施形態の携帯端末としての携帯電話機１を示し、この携帯電話機１は、例えば、表示部２を収容する筐体としての正面側キャビネット３と、その背面側に結合される背面側キャビネット４と、その背面側を覆うリアカバー５とを備えている。例えば、正面側キャビネット３と背面側キャビネット４との間の収容空間には、メイン基板６が収容され、そのメイン基板６の上側にはサブ基板７が接続されている。サブ基板７にはカード収容部８が装着されている。そのカード収容部８は、例えば正面側キャビネット３のトレイ用開口３ａの内側（下側）に内蔵され、トレイ用開口３ａは、ソケットカバー９で開閉可能に覆われている。
【００２２】
図１（ａ）に示すように、カード収容部８には、例えばＳＤカード１１及びＳＩＭカードトレイ１０が挿抜可能となっている。そして、ＳＩＭカードトレイ１０の正面側には、表示トレイ１２をスライド可能に収容するホルダー部１３が設けられている。このホルダー部１３は、正面側キャビネット３に一体でもよいし、別体でもよい。ホルダー部１３のトレイ用開口３ａの周縁には、幅方向内側に突出する一対のストッパ部１４が設けられている。ストッパ部１４の内側のフック１５との当接面１４ａ（幅方向内側かつ下側の角部）は、若干面取りされて、基端側に向かって幅方向に拡がる傾斜面となっている。この面取りは、Ｒ面取りでもよい。
【００２３】
そして、表示トレイ１２の基端側には、トレイ用開口３ａ側から表示トレイ１２が抜け出すのを阻止する幅方向両側に突出したフック１５が形成されている。フック１５の幅方向の寸法Ｂは、ホルダー部１３の側面間の距離Ａより若干小さく、ストッパ部１４の側面間の距離Ｃよりも大きくなっている（Ｃ＜Ｂ＜Ａ）。
【００２４】
両側のフック１５の中間には、下方へ開放する変形用切欠１６が形成されている。変形用切欠１６の形状は、特に限定されないが、後述するように表示トレイ１２の引き出しを可能とすると共に、表示トレイ１２の差し込みを防止するように、表示トレイ１２を変形させる形状であればよい。表示トレイ１２の厚さは、適度に薄く幅方向中央が膨らむように変形できてもよい。
【００２５】
このように構成することにより、ソケットカバー９を開き、表示トレイ１２を引き出してその内容を確認するときには、図１（ｂ）及び図２に示すように、表示トレイ１２をフック１５がストッパ部１４に当接するまで引き出し、その表面に記載されたＩＭＥＩ番号を確認後、再び表示トレイ１２を収納してソケットカバー９を閉じる。
【００２６】
一方、表示トレイ１２を無理矢理抜き出そうとすると、図４（ａ）に示すように、フック１５がストッパ部１４に当接する。このとき、フック１５におけるストッパ部１４の内側との当接面１５ａ及びストッパ部１４の内側のフック１５部との当接面１４ａは、それぞれ基端側に向かって幅方向に拡がる傾斜面となっているので、図示する方向に確実にフック１５がストッパ部１４に押される。
【００２７】
そして、図４（ｂ）に示すように当接面１４ａ，１５ａの傾斜も手伝って変形用切欠１６の周辺が適度に変形し、フック１５がストッパ部１４を通過する。このため、表示トレイ１２やストッパ部１４が損傷しない。
【００２８】
逆に図４（ｃ）に示すように、表示トレイ１２を再び挿入しようとしてもフック１５の直線状端部１５ｂがストッパ部１４の上面１４ｂに当接するので、挿入ができない。このとき、フック１５の直線状端部１５ｂ及びストッパ部１４のフック１５の基端に当接する上面１４ｂは、いずれも幅方向に水平に延びているので、白抜き矢印の方向に押し込んでも、矢印の方向に確実に押し返す。しかも、さらに無理矢理押し込もうとしても、変形用切欠１６の周辺は逆に拡がる方向に変形しようとするので、フック１５はストッパ部１４を通過できない。
【００２９】
本実施形態では、表示トレイ１２を矩形板状とし、フック１５を表示トレイ１２の基端側に幅方向両側に突出する突起とし、変形用切欠１６を表示トレイ１２基端を切り欠くことで形成したので、簡単な構成で表示トレイ１２を抜き出すことができるようにしながらも、いったん抜き出すと再び挿入できないようにすることができる。
【００３０】
したがって、本実施形態では、携帯電話機１と異なる表示がされた表示トレイ１２を収容できないようにし、誤った表示の表示トレイ１２に交換するのを確実に防止することができる。
【００３１】
−変形例１−
図５は本発明の実施形態の変形例１を示し、フック１５’の形状が異なる点で上記実施形態と異なる。なお、以下の各変形例では、図１〜図４と同じ部分については同じ符号を付してその詳細な説明は省略する。
【００３２】
図５（ａ）に黒塗りで示すように、フック１５’の幅方向側面１５ａ’を互いに基端側が幅方向外側へ拡がる末拡がり形状としている。本変形例では、上記当接面１５ａと幅方向側面１５ａ’とを角度の異なる２段階に末拡がり形状としているが、幅方向側面１５ａ’は当接面１５ａと同じ角度で一体としてもよく、さらに多段に折れ曲がっていてもよく、円弧等の曲線形状でもよい。
【００３３】
このように構成すれば、図５（ｂ）に示すように、表示トレイ１２を抜き出すときには変形用切欠１６の変形を阻害しないが、図５（ｃ）に示すように、抜き出した後に再び差し込もうとすれば、表示トレイ１２の下端の幅Ｂとストッパ部１４の隙間Ｃとの差Ｄ（＝Ｂ−Ａ）が上記実施形態よりもさらに大きくなり、表示トレイ１２の再挿入はさらに困難となっている。
【００３４】
−変形例２−
図６は本発明の実施形態の変形例２を示し、フック１５''の形状が異なる点で上記実施形態と異なる。
【００３５】
本変形例では、図６に黒塗りで示すように、フックの先端側の根元にＲがなく、傾斜面１５ａ''が当接面１５ａにそれぞれ連続している。このため、表示トレイ１２を無理矢理引き抜こうとしたときに、すぐにストッパ部１４が傾斜面１５ａ''に当接するので、上記実施形態よりもさらに滑らかに抜ける。また、フック１５''の根元が強化されるので、フック１５''が損傷しにくくなる。
【００３６】
図６では、傾斜面１５ａ，１５ａ''は２段で構成しているが、１段や３段以上でもよく、円弧等の連続する形状であってもよい。
【００３７】
−変形例３−
図７は本発明の実施形態の変形例３を示し、フック１５'''の形状が異なる点で上記実施形態と異なる。
【００３８】
フック１５'''の基端１５ｂ'''（下辺）は、幅方向外側に向かって基端側へ向かうように傾斜している。つまり、図７に黒塗りで示すように、正面視でカタカナのハの字状に幅方向外側に向かって拡がっている。このようにハの字状にフック１５'''が形成されていても、表示トレイ１２を引き抜くときの引き抜きやすさに大きな差はない。
【００３９】
しかし、再び挿入しようとするときには、ストッパ部１４の上面１４ｂに当接したときにフック１５'''がより幅方向に拡がりやすくなるので、再挿入防止効果がさらに向上する。  
【００４０】
（その他の実施形態）
本発明は、上記実施形態について、以下のような構成としてもよい。
【００４１】
すなわち、上記実施形態では、トレイ用開口３ａを携帯電話機１の上側に設けているが、その位置は特に限定されず、左右、下側等の側面等でもよい。
【００４２】
上記実施形態では、携帯端末は、携帯電話機１としたが、タブレット端末、ＰＨＳ（Personal Handy-phone System ）、ＰＤＡ(Personal DigitalAssistant)、パソコン等であってもよい。
【００４３】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００４４】
１      携帯電話機（携帯端末）
２      表示部
３      正面側キャビネット（筐体）
３ａ    トレイ用開口
４      背面側キャビネット
５      リアカバー
６      メイン基板
７      サブ基板
８      カード収容部
９      ソケットカバー
１０      ＳＩＭカードトレイ
１１      ＳＤカード
１２      表示トレイ
１３      ホルダー部
１４      ストッパ部
１４ａ    当接面
１４ｂ    上面
１５，１５’，１５''，１５'''      フック
１５ａ，１５ａ''  傾斜面
１５ａ’  幅方向側面
１５ｂ    直線状端部
１５ｂ'''  基端
１６      変形用切欠
【図１】
2015146472.tif 000003
【図２】
2015146472.tif 000004
【図３】
2015146472.tif 000005
【図４】
2015146472.tif 000006
【図５】
2015146472.tif 000007
【図６】
2015146472.tif 000008
【図７】
2015146472.tif 000009
【図８】
2015146472.tif 000010
【図９】
2015146472.tif 000011
【図１０】
2015146472.tif 000012
【図１１】
2015146472.tif 000013